【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
方法であって、
コンピューティング装置により、コンテンツを含み且つオブジェクトに関連付けられる第１の通知を、リアル・タイム・プッシュ・サービスを通じて受信することであって、前記オブジェクトは、１つまたは複数の状態を有し、前記第１の通知は、前記第１の通知を受信する前に前記コンピューティング装置の第１の割当優先順位の範囲に適合する第１の優先順位に割り当てられ、前記第１の優先順位の範囲は、前記コンピューティング装置の第１の電力状態及び前記コンピューティング装置の第１のネットワーク状態に基づくものであり、前記オブジェクトは、ユーザ向け情報を含み、前記コンテンツは、第１の時刻で決定された前記ユーザ向け情報の第１の所定の部分を有する、前記リアル・タイム・プッシュ・サービスを通じて受信すること、
前記コンピューティング装置により、前記オブジェクトの状態変化に基づく前記コンテンツに対する更新を含む第２の通知を、前記リアル・タイム・プッシュ・サービスを通じて受信すること、を備え、
前記第２の通知は、前記第１の通知を受信した後であって前記第２の通知を受信する前に前記コンピューティング装置の第２の割当優先順位の範囲に適合する第２の優先順位に割り当てられ、前記第２の優先順位の範囲は、前記コンピューティング装置の第２の電力状態及び前記コンピューティング装置の第２のネットワーク状態に基づくものであり、
前記更新は、第２の時刻で決定された前記ユーザ向け情報の第２の所定の部分を含み、
前記第２の時刻は、前記第１の時刻よりも遅い、方法。
【請求項２】
前記第１の通知または第２の通知は、前記コンピューティング装置のディスプレイに表示される、請求項１に記載の方法。
【請求項３】
前記オブジェクトが、ソーシャル・ネットワーキング・システムによってホストされる、請求項１に記載の方法。
【請求項４】
前記オブジェクトが、前記ソーシャル・ネットワーキング・システムに対するユーザ・ポストである、請求項３に記載の方法。
【請求項５】
前記オブジェクトのユーザ向け情報は、
前記ユーザ・ポストに関連付けられた「いいね」の数、または
前記ユーザ・ポストに関連付けられたコメントの数を含む、請求項４に記載の方法。
【請求項６】
前記オブジェクトが、ソーシャル・ネットワーキング・システムによって維持されるソーシャル・グラフ内のノードに関連付けられる、請求項１に記載の方法。
【請求項７】
前記第１の通知は、メッセージおよびペイロードを含む、請求項１に記載の方法。
【請求項８】
前記リアル・タイム・プッシュ・サービスは、チャネル・サーバ、ＭＱ  Ｔｅｌｅｍｅｔｒｙ  Ｔｒａｎｓｐｏｒｔ（ＭＱＴＴ）サーバ、およびキャリア・ネットワークによってホストされるリアル・タイム・プッシュ・サービスを含む、請求項１に記載の方法。
【請求項９】
前記第１の電力状態および第１のネットワーク状態は、前記コンピューティング装置によって前記第１の時刻よりも前に前記リアル・タイム・プッシュ・サービスに送信され、
前記第２の電力状態および第２のネットワーク状態は、前記コンピューティング装置によって前記第２の時刻よりも前に前記リアル・タイム・プッシュ・サービスに送信される、請求項１に記載の方法。
【請求項１０】
１つまたは複数のコンピュータ可読非一時的記憶媒体であって、
実行されたときに、
コンテンツを含み且つオブジェクトに関連付けられる第１の通知を、リアル・タイム・プッシュ・サービスを通じて受信することであって、前記オブジェクトは、１つまたは複数の状態を有し、前記第１の通知は、前記第１の通知を受信する前にコンピューティング装置の第１の割当優先順位の範囲に適合する第１の優先順位に割り当てられ、前記第１の優先順位の範囲は、前記コンピューティング装置の第１の電力状態及び前記コンピューティング装置の第１のネットワーク状態に基づくものであり、前記オブジェクトは、ユーザ向け情報を含み、前記コンテンツは、第１の時刻で決定された前記ユーザ向け情報の第１の所定の部分を含む、前記リアル・タイム・プッシュ・サービスを通じて受信すること、
前記オブジェクトの状態変化に基づく前記コンテンツに対する更新を含む第２の通知を、前記リアル・タイム・プッシュ・サービスを通じて受信すること、を実行するように動作可能なソフトウェアを実装し、
前記第２の通知は、前記第１の通知を受信した後であって前記第２の通知を受信する前に前記コンピューティング装置の第２の割当優先順位の範囲に適合する第２の優先順位に割り当てられ、前記第２の優先順位の範囲は、前記コンピューティング装置の第２の電力状態及び前記コンピューティング装置の第２のネットワーク状態に基づくものであり、
前記更新は、第２の時刻で決定された前記ユーザ向け情報の第２の所定の部分を含み、
前記第２の時刻は、前記第１の時刻よりも遅い、１つまたは複数のコンピュータ可読非一時的記憶媒体。
【請求項１１】
前記オブジェクトが、ソーシャル・ネットワーキング・システムによってホストされる、請求項１０に記載の１つまたは複数のコンピュータ可読非一時的記憶媒体。
【請求項１２】
前記オブジェクトが、前記ソーシャル・ネットワーキング・システムに対するユーザ・ポストである、請求項１１に記載の１つまたは複数のコンピュータ可読非一時的記憶媒体。
【請求項１３】
前記オブジェクトのユーザ向け情報は、
前記ユーザ・ポストに関連付けられた「いいね」の数、または
前記ユーザ・ポストに関連付けられたコメントの数を含む、請求項１２に記載の１つまたは複数のコンピュータ可読非一時的記憶媒体。
【請求項１４】
前記オブジェクトが、ソーシャル・ネットワーキング・システムによってソーシャル・グラフ内のノードに関連付けられる、請求項１０に記載の１つまたは複数のコンピュータ可読非一時的記憶媒体。
【請求項１５】
前記第１の通知は、メッセージおよびペイロードを含む、請求項１０に記載の１つまたは複数のコンピュータ可読非一時的記憶媒体。
【請求項１６】
前記リアル・タイム・プッシュ・サービスは、チャネル・サーバ、ＭＱ  Ｔｅｌｅｍｅｔｒｙ  Ｔｒａｎｓｐｏｒｔ（ＭＱＴＴ）サーバ、およびキャリア・ネットワークによってホストされるリアル・タイム・プッシュ・サービスを含む、請求項１０に記載の１つまたは複数のコンピュータ可読非一時的記憶媒体。
【請求項１７】
前記第１の電力状態および第１のネットワーク状態は、前記コンピューティング装置によって前記第１の時刻よりも前に前記リアル・タイム・プッシュ・サービスに送信され、
前記第２の電力状態および第２のネットワーク状態は、前記コンピューティング装置によって前記第２の時刻よりも前に前記リアル・タイム・プッシュ・サービスに送信される、請求項１０に記載の１つまたは複数のコンピュータ可読非一時的記憶媒体。
【請求項１８】
システムであって、
１つまたは複数のプロセッサと、
前記プロセッサに結合され、且つ前記１つまたは複数のプロセッサによって実行可能な命令を含むメモリであって、前記１つまたは複数のプロセッサが、前記命令を実行したときに、
コンテンツを含み且つオブジェクトに関連付けられる第１の通知を、リアル・タイム・プッシュ・サービスを通じて受信することであって、前記オブジェクトは、１つまたは複数の状態を有し、前記第１の通知は、前記第１の通知を受信する前にコンピューティング装置の第１の割当優先順位の範囲に適合する第１の優先順位に割り当てられ、前記第１の優先順位の範囲は、前記コンピューティング装置の第１の電力状態及び前記コンピューティング装置の第１のネットワーク状態に基づくものであり、前記オブジェクトは、ユーザ向け情報を含み、前記コンテンツは、第１の時刻で決定された前記ユーザ向け情報の第１の所定の部分を含む、前記リアル・タイム・プッシュ・サービスを通じて受信すること、
前記オブジェクトの状態変化に基づく前記コンテンツに対する更新を含む第２の通知を、前記リアル・タイム・プッシュ・サービスを通じて受信すること、を実行するように動作可能である、前記メモリと、を備え、
前記第２の通知は、前記第１の通知を受信した後であって前記第２の通知を受信する前に前記コンピューティング装置の第２の割当優先順位の範囲に適合する第２の優先順位に割り当てられ、前記第２の優先順位の範囲は、前記コンピューティング装置の第２の電力状態及び前記コンピューティング装置の第２のネットワーク状態に基づくものであり、
前記更新は、第２の時刻で決定された前記ユーザ向け情報の第２の所定の部分を含み、
前記第２の時刻は、前記第１の時刻よりも遅い、システム。